(57)【特許請求の範囲】
【請求項１】
第１の液体容器と、前記第１の液体容器に収容される液体を、その温度が常温よりも高くなるように、加熱する加熱手段と、前記第１の液体容器内の液体を撹拌してマイクロバブルを生成する羽根付き回転体とを有するマイクロバブル生成手段と、
前記マイクロバブル生成手段と配管により接続された第２の液体容器と、前記第２の液体容器に収容される液体を、その温度が前記第１の液体容器に収容される液体の温度よりも相対的に低くなるように、冷却する冷却手段と、前記第２の液体容器内の液体中のマイクロバブルを圧壊させてナノバブルを生成する、マイクロ波発生装置、超音波発生装置、磁石及び羽根付き回転体のうちの前記羽根付き回転体を少なくとも含むバブル圧壊手段とを有するナノバブル生成手段と、を備え、
前記羽根付き回転体は、回転軸と、該回転軸に着脱可能に固定されたハブと該ハブに放射状に取付けられた複数枚の羽根とからなる羽根部とを具備し、各羽根は、羽根のハブへの取付け角が前記回転軸に対して所定の羽根から同一方向に順に大きくされている、
ことを特徴とするナノバブル発生装置。
【請求項２】
前記羽根付き回転体には圧電振動子が固着されていることを特徴とする請求項１記載のナノバブル発生装置。
【請求項３】
前記第１の液体容器に供給される液体に気体を混合する手段をさらに備えたことを特徴とする請求項１又は２記載のナノバブル発生装置。
【請求項４】
前記第１の液体容器または前記第２の液体容器の上部には、さらに排気口を備えたことを特徴とする請求項１乃至３のいずれか１項に記載のナノバブル発生装置。
【発明の詳細な説明】
【技術分野】
【０００１】
本発明は、微細気泡、ナノバブルを発生させる装置に関する。
【背景技術】
【０００２】
常圧下において発生時に直径が数十μｍ以下の微細気泡は、通常の気泡とは異なって水中で縮小して消滅（完全溶解）する性質を有し、消滅するときのエネルギーによって生体を活性化させる効果があることが知られている（例えば特許文献１）。
【０００３】
一方、直径が１μｍに満たない超微細気泡は、ナノバブルと呼ばれている。ナノバブルは、マイクロサイズの微細気泡に物理的刺激を与えて圧壊させることにより発生し、周囲にマイナスイオンを有することで比較的長時間安定的に存在することが報告されている（例えば特許文献２）。酸素をナノバブルとして含んだ水は、生体活性効果があるといわれ、今後の利用が期待されている。
【０００４】
微細気泡を発生させる装置としては、種々の方式のものが提案されている。例えば特許文献１には、円筒型の容器に気液混合水を圧入して高速回転させて遠心分離させるものが提案されている。特許文献３には、泡風呂用を主目的として、渦巻きポンプを用いて気液混合させた後、その気液混合体を筒に送り、筒の中に設けた螺旋羽根を高速回転させて撹拌混合し、筒の内壁に設けた突起で気泡を分断し微細化させるものが提案されている。他にも、産業用に種々の装置が提案されている。
【０００５】
ナノバブルを発生させる装置としては、開示されているものはほとんどないが、例えば、特許文献２には、ナノバブルを発生させるために微細気泡に物理的刺激を与える装置として、放電装置、超音波装置、渦流発生装置（例えば回転体）が開示されている。
【特許文献１】特開２００２−１４３８８５号公報
【特許文献２】特開２００５−２４５８１７号公報
【特許文献３】特開２００２−８５９４９号公報
【発明の開示】
【発明が解決しようとする課題】
【０００６】
上記のように、微細気泡発生装置としては種々のものが開発されているが、個人が手軽に使えることを目指したものではない。また、ナノバブル発生装置については、概略構成は開示されているものの、具体的には不明な点が多い。
【０００７】
そこで、本発明は、簡便で、個人が手軽に使えるナノバブル発生装置を提供することを目的としている。
【課題を解決するための手段】
【０００８】
上記した目的を達成するために、本発明のナノバブル発生装置は、第１の液体容器と、前記第１の液体容器に収容される液体を、その温度が常温よりも高くなるように、加熱する加熱手段と、前記第１の液体容器内の液体を撹拌してマイクロバブルを生成する羽根付き回転体とを有するマイクロバブル生成手段と、前記マイクロバブル生成手段と配管により接続された第２の液体容器と、前記第２の液体容器に収容される液体を、その温度が前記第１の液体容器に収容される液体の温度よりも相対的に低くなるように、冷却する冷却手段と、前記第２の液体容器内の液体中のマイクロバブルを圧壊させてナノバブルを生成する、マイクロ波発生装置、超音波発生装置、磁石及び羽根付き回転体のうちの前記羽根付き回転体を少なくとも含むバブル圧壊手段とを有するナノバブル生成手段と、を備え、前記羽根付き回転体は、回転軸と、該回転軸に着脱可能に固定されたハブと該ハブに放射状に取付けられた複数枚の羽根とからなる羽根部とを具備し、各羽根は、羽根のハブへの取付け角が前記回転軸に対して所定の羽根から同一方向に順に大きくされている、ことを特徴とする。
【０００９】
ここで、ナノバブルとは、常圧下において直径が１μｍ未満の超微細気泡のことをいい、マイクロバブルとは、常圧下において発生時に直径が１μｍ〜数十μｍ程度の微細気泡のことをいう。
【００１０】
本発明のナノバブル発生装置は、大きく分けると、マイクロバブル生成手段とナノバブル生成手段の２つから構成される。このマイクロバブル生成手段では、第１の液体容器内に流入された液体を加熱手段で加熱するとともに、羽根付き回転体を回転させてマイクロバブルを生成する。ナノバブル生成手段では、生成したマイクロバブルをバブル圧壊手段で圧壊させて、ナノバブルを生成する。バブル圧壊手段としては、マイクロ波発生装置、超音波発生装置、磁石、及び、羽根付き回転体の少なくとも一つを用いることができる。
【００１１】
マイクロバブル生成手段は加熱手段を有している。この加熱手段は、第１の液体容器に収容される液体を加熱することができれば良く、第１の液体容器の外部にあっても内部にあっても良い。ナノバブル生成手段は冷却手段を有している。この冷却手段は、第２の液体容器に収容される液体を加熱することができれば良く、第２の液体容器の外部にあっても内部にあっても良い。
【００１２】
羽根付き回転体は、マイクロバブルを発生することも、マイクロバブルを圧壊させてナノバブルを生成させることもできるので、マイクロバブル生成手段として用いることができ、バブル圧壊手段、ナノバブル生成手段として用いることもできる。
【００１３】
羽根付き回転体は、回転軸と、該回転軸に着脱可能に固定されたハブと該ハブに放射状に取付けられた複数枚の羽根とからなる羽根部とを具備し、各羽根は、回転時に流体からのエネルギーを受けて振動するように構成されていてもよい。
【００１４】
「回転時に流体からエネルギーを受けて振動する」とは、一般に「フラッタ現象」といわれる現象である。羽根付き回転体が一定の速度で回転することにより、各羽根がその周囲の流体からエネルギーを受けて各羽根自体が不規則にうねるように微細振動し、その振動は収束せずに発散する。このように振動する構成にするためには、羽根部は、流体中での回転に耐えられる程度の剛性と、うねるように微細な振動をする程度の柔軟性を兼ね備えていることが必要である。このように振動し続けるように羽根部を構成することで、気液混合流体に物理的刺激を与えることができ、より微細なバブルを効率よく生成することができる。
【００１５】
また、上述したように、本発明のナノバブル発生装置の羽根付き回転体は、回転軸と、該回転軸に着脱可能に固定されたハブと該ハブに放射状に取付けられた複数枚の羽根とからなる羽根部とを具備し、各羽根は、羽根のハブへの取付け角が前記回転軸に対して所定の羽根から同一方向に順に大きくされていることを特徴とする。この羽根を高速回転させることにより、気液混合流体を効率良くせん断することができる。
【００１６】
さらに、羽根付き回転体には圧電振動子が固着されていてもよい。回転時にこの圧電振動子に電圧を印加し羽根を微細に振動させることで、気液混合流体に物理的刺激を与えることができ、より微細なバブルを効率よく形成することができる。
【００１７】
第１の液体容器に供給される液体に気体を混合する手段をさらに備えることが好ましい。そうすることで、より多くのバブルを発生させることができる。
【００１８】
第１の液体容器または第２の液体容器の上部には、さらに排気口を備えることが好ましい。そうすることで、大きなバブルを排出させることができ、ナノバブルを選択的に残すことができる。
【発明の効果】
【００１９】
本発明によれば、簡便で、個人が手軽に利用できるナノバブル発生装置を提供することができる。
【発明を実施するための最良の形態】
【００２０】
以下、本発明を実施するための形態を図面に基づき説明する。
図１は、本発明のナノバブル発生装置１００の構成の一例を模式的に示す図である。
このナノバブル発生装置１００は、図１に示すように、マイクロバブル生成手段Ｍとナノバブル生成手段Ｎとを具備している。マイクロバブル生成手段Ｍは、第１の液体容器１と、この容器１に収容される液体（または収容された液体）を加熱するための加熱手段５と、この容器１内に収容された液体を撹拌する羽根付き回転体６を有している。第１の液体容器１には、液体または気液混合体を供給させるための給液口１１と気液混合体を排出させるための排液口１２が設けられている。
【００２１】
ナノバブル生成手段Ｎは、第２の液体容器２と、この容器２に収容される液体（または収容された液体）を冷却するための冷却手段７と、マイクロバブル圧壊手段８を有している。第２の液体容器２には、給液口２１と廃液口２２が設けられている。バブル圧壊手段８は、この容器２内に収容された液体中のマイクロバブルを圧壊してナノバブルを生成する手段で、マイクロ波発生装置８１などからなり、第２の液体容器２内に配設されている。
【００２２】
マイクロバブル生成手段Ｍの第１の液体容器１の廃液口１２とナノバブル生成手段Ｎの第２の液体容器２の給液口２１とは配管４を介して接続されている。
【００２３】
羽根付き回転体はマイクロバブル生成手段として機能するが、マイクロバブルを圧壊させてナノバブルを生成するバブル圧壊手段としても機能する。
【００２４】
すなわち、第１の液体容器１では、加熱手段５を用いて常温よりも液体の温度を上げた上で、羽根付き回転体６を例えば毎分１万回転〜３万回転程度（毎秒数十回転〜数百回転程度）の高速で回転させて液体を撹拌することにより、簡便かつ効率的にバブル（気泡）を発生させることができる。また、羽根の高速回転により生じた流体の圧力変化等により、または、回転する羽根が高速でバブルに衝突することにより、直径が数十μｍ程度のマイクロバブルなど微細なバブルを形成することができる。
【００２５】
そして、第２の液体容器２では、マイクロ波発生装置８１、超音波発生装置８２、羽根付き回転体８３、磁石８４の少なくとも１つからなるバブル圧壊手段８で、直接的に又は流体を介して間接的にバブルに物理的刺激を与えることで、マイクロバブルの圧壊を促すことができる。これにより、ナノバブルを発生させることができる。
【００２６】
以下、詳細に説明する。
液体としては、例えば水道水が用いられる。水道水は、個人が家庭等で手軽に入手することができ、かつ、飲用、洗顔用、浴用等として適している。以下、この液体のことを単に水ともいう。なお気体としては、例えば、空気、酸素である。
【００２７】
第１の液体容器１はマイクロバブルを含む液体を収容する容器である。第２の液体容器２はナノバブルを含む液体を収容する容器である。第１の液体容器１および第２の液体容器の容量は特に限定されないが、例えば、水等の液体を数十ミリリットル〜数十リットル程度収容することができる。第１の液体容器１および第２の液体容器２の形状は、特に限定されないが、例えば箱形や円筒形である。第１の液体容器１および第２の液体容器２は、給廃液口を除いて密閉されているが、さらに上部に排気口を設けることが好ましい。そうすることで、不要な気体を上方の排気口から追い出すことができる。なお、第１の液体容器２は、コップやジューサーミキサーの液体容器のように上方が開放された構造であってもよく、必要に応じて蓋をしたり取ったりすることができる構造のものであってもよい。上方が開放された容器の場合には、その開放部を給液口や排気口として用いることができる。
【００２８】
図１に示す給液管３の途中には、吸気口３３（気体の流入口、給気口）が設けられ、吸気口３３には、空気や酸素等の気体を強制的に供給するポンプ等の気液混合手段（図示せず）が設けられている。こうすることで、第１の液体容器１に設けられた給液口１１からは、気液混合体が効率よく供給されるようになり、より大量に気泡（バブル）を発生させることができる。なお、吸気口３３は、給水管の途中に設ける必要はなく、第１の液体容器２の側面または上面に別途設けてもよい。また、羽根付き回転体６が液体中で高速回転することで、自給式で気泡を発生させることができるので、ポンプ等を設けなくてもよい。
【００２９】
加熱手段５は、第１の液体容器１に収容された液体を加熱するための手段であり、例えば電熱線等の電気ヒーターである。この加熱手段５を用いて、第１の液体容器１に収容された液体の温度を上昇させることにより、液体中に溶解していた気体をバブル化することができ、また、液体中に存しているバブルを膨張させ大きくすることができる。加熱手段５は、図１においては、第１の液体容器１の外部に設けられているが、第１の液体容器１の内部に設けられていても良い。要は、加熱手段５は、第１の液体容器１に収容された液体を加熱することができればよい。
【００３０】
第１の液体容器１の内部には、羽根付き回転体６が、液体容器１に収容された液体を撹拌できるように配設され固定されている。羽根付き回転体６は、例えば市販の小型モーター等の駆動源に接続されることにより高速回転可能とされている。羽根付き回転体６は、例えば、図示しない回転軸と、この回転軸に着脱可能に固定されたハブとこのハブの外周に沿って放射状に配置された複数枚の羽根とからなる羽根部とを具備している。
【００３１】
気体を含む液体が第１の液体容器１の内部に供給され収容された状態で、羽根付き回転体６を高速回転させることにより、羽根の近傍の圧力が局所的に低下し、バブルが発生する。また、羽根が高速回転することにより生じる流体の圧力変化で、または、回転する羽根が高速でバブルに衝突することにより、バブルはさらに細分化される。すなわち、液体中で羽根付き回転体６を高速回転させることにより、第１の液体容器１の内部に収容された液体中に、微細なバブル、マイクロバブルを効率よく生成することができる。
【００３２】
第１の液体容器２に収容された液体の温度は加熱手段５により常温よりも高くなっているので、液体に混入しているバブルは膨張する。この膨張したバブルを、羽根付き回転体６の羽根がさらに細分化するので、効率よくマイクロバブルを生成することができる。
【００３３】
すなわち、本発明によれば、第１の液体容器２に収容された液体を加熱する加熱手段５と、第１の液体容器２に収容された液体を撹拌する羽根付き回転体６を備えているので、微細なバブルを効率よく生成することができる。
【００３４】
このようにして発生した微細なバブルが含まれた液体は、配管４を介して第２の液体容器３に移送される。マイクロバブルよりも大きな気泡はすぐに上昇するので、配管４は下部に設けることが好ましい。こうすることで、大きな気泡を混入させず微細なバブルを選択的に液体陽気３に移送することができる。また、液体容器２の上部に排気口を設けることが好ましい。こうすることで、上部に設けた排気口から大きな気泡を追い出すことができ、液体の流れと共にマイクロバブルを液体容器３に移送することができる。
【００３５】
第２の液体容器３内に移送された液体は、冷却手段７により冷却される。第１の液体容器２内に含まれているバブルが第２の液体容器３内で急速に冷却され収縮することでバブルの圧壊を促すことができる。冷却手段７は、第２の液体容器３内に収容された液体を、第１の液体容器２内での温度よりも相対的に温度が低くなるように冷却することができればよい。冷却手段７は、第２の液体容器３の外部に配設されていても良く、内部に配設されていても良い。
【００３６】
第２の液体容器３には、マイクロ波発生装置８１、超音波発生装置８２、液体を高速で回転させる羽根付き回転体８３、磁石８４が配設されている。これらは、いずれも液体中に含まれるバブルに物理的衝撃を与えてバブルの圧壊を促進させるバブル圧壊手段８である。これらのバブル圧壊手段８はすべて配設されている必要はなく、これらのうちいずれか１つ以上配設されていればよい。いずれか１つでも、バブルの圧壊を促すことができ、ナノバブルを発生させることができる。
【００３７】
マイクロ波発生装置８１は、マイクロ波を発生させる装置である。マイクロ波発生装置８１により、マイクロ波を発生させることで、収容されている液体に分子レベルで物理的刺激を与えることができるため、圧壊を促す効果が高い。したがって、マイクロ波発生装置８１により、効果的にナノバブルを発生させることができる。
【００３８】
超音波発生装置８２は、超音波を発生させる装置である。超音波発生装置８２により、超音波を発生させることで、圧壊を促す効果が高いことは従来から知られている。したがって、超音波発生装置８２により、効果的にナノバブルを発生させることができる。
【００３９】
第２の液体容器２に配設される羽根付き回転体８３は、第１の液体容器１に配設された羽根付き回転体６と同じ構成のものでよいが、バブルの圧壊を促す効果がより高いものとなるように別の構成としてもよい。羽根付き回転体８３を高速で回転させることにより、効果的にナノバブルを発生させることができる。
【００４０】
磁石８４は、磁界を発生する磁界発生装置である。水分子をイオン化させ、水分子のクラスターを細分化させることができる。したがって、磁石８４により、バブルの圧壊を促進でき、ナノバブルを発生させることができる。
【００４１】
つぎに、第１の液体容器２に配設される羽根付き回転体６または第２の液体容器に配設される羽根付き回転体８３の羽根部６０の実施形態について、図２〜図１０を用いて、詳細に説明する。
【００４２】
図２〜図７は、羽根部６０の第１の実施形態を示す図である。この実施形態では、羽根の回転に伴って羽根自体が流体のエネルギーを受けて振動するように、羽根部が構成されている。図２〜図４は、１０枚羽根の例で、静止しているときの状態を示している。図２は斜視図、図３は平面図、図４は側面図である。図５〜図７は、６枚羽根の例で、振動しているときの状態を示している。図５、図６はいずれも羽根が振動している状態を示す斜視図、図７は側面図である。
【００４３】
図２〜図７において、略楕円形の太い矢印は、羽根部６０の回転方向を表している。羽根部６０は、回転軸に対して垂直に固定され、回転軸（図示せず）と一体に回転する構成とされている。したがって、回転軸と羽根部６０の回転方向は同一である。また、図５〜図７において、太い矢印は、羽根の主な振動方向を模式的に示している。
【００４４】
図２〜図７に示すように、この羽根付き回転体の羽根部６０は、中空円筒状のハブ６１とこのハブ６１の周囲に放射状に取付けられた複数枚の羽根６２とを具備している。複数枚の羽根６２は、同一形状とされ、円筒状のハブ６１の外周に沿って放射状に均等配置されている。各羽根６２の根元は、ハブに取り付けられ固定されている。各羽根６２の側面形状は、図４に示すように、緩やかなカーブを描くようになっていてもよく、直線的であってもよい。羽根の枚数は、図２〜図４のように１０枚でもよく、図５〜図７のように６枚でもよく、特に限定されない。なお、羽根部の全幅（ハブを中心に羽根全体を円と見たときの円の直径に相当する長さ）は、例えば数１０ｍｍ〜１００ｍｍ程度とされている。各羽根を小さくすることで、回転に伴う抵抗を少なくすることができる。
【００４５】
この実施形態では、各羽根６２は、図５〜７に示すように、回転に伴って羽根自体が波打つようにうねりながらプルプルと振動するように構成されている。各羽根６２は、図面矢印に示すように、波打つように揺れつつ、上下左右いろいろの方向に不規則に振動するように構成されている。なお、図５および図７では、羽根が３段に重ねられているように見えるかもしれないが、そうではなく、羽根は図６に示すように１段である。静止しているときは、図２〜図４に示すのと同様であり、羽根の側面は波打っていない。また、図５〜７では、振動している様子を極端に誇張して表しており、実際には、このように大きく振動するわけではなく、微細振動である。
【００４６】
羽根をこのようにプルプルと波打つように振動させるために、この各羽根６２は、柔軟な材料で、薄く構成されている。羽根の厚さ（薄さ）は、材質にもよるが、例えば０．３〜０．７ｍｍ程度である。各羽根の材料としては、水中で振動する程度の柔軟性を有し、かつ、水中での高速回転に耐えうる程度に剛性が良く耐衝撃性に優れたものを用いることができる。例えば、ＡＢＳ樹脂（アクリロニトリル・ブタジエン・スチレン樹脂）、ポリカーボネート樹脂、チタンコーティングされたステンレスなどを用いることができる。
【００４７】
このように構成された羽根を備えた回転体を高速で回転させることで、流体からエネルギーを受け、羽根自体が発振振動するフラッタ現象が生じる。各羽根がこのように不規則に振動することで、各羽根６２の周囲の流体の圧力が不均一に変化し、液体中のバブルが不均一に加圧される。それにより、圧壊が促され、より微細なバブルが形成される。すなわち、飛行機の翼や橋梁を倒壊させる原因として通常は好ましくないとされるフラッタ現象を、本実施形態では、積極的に利用することで、効率的に微細なバブルを形成している。
【００４８】
次に、羽根付き回転体６の羽根部の第２の実施形態について説明する。図８〜図１０は、第１の液体容器２に配設された羽根付き回転体６の羽根部６０の他の一例を示す図である。図８は斜視図、図９は平面図、図１０は側面図である。図８〜図１０において、図２〜図４と同一のものについては、原則として同一の符号を付し、説明を省略する。
【００４９】
図８〜図１０に示すように、この羽根付き回転体６の羽根部は、中空円筒状のハブ６１とこのハブ６１の周囲に放射状に取付けられた複数枚の羽根６２とを具備している。例えば、１０枚の羽根６２（６２ａ，６２ｂ，６２ｃ，６２ｄ，・・・，６２ｊ）が円筒状のハブ６１の外周に沿って放射状に均等配置されている。
【００５０】
図８〜図１０に示すように、羽根部の各段６３における各羽根６２は同一形状とされている。各羽根６２は、図９に示すように、先に液体またはバブルに当たる側が薄く尖った形状となるように構成されている。このような形状の羽根部が高速で回転することでバブルを簡便に発生させることができる。各羽根６２の薄く尖った側が液体またはバブルに高速で衝突することで、発生したバブルを細かくすることができる。
【００５１】
図８〜図１０に示すように、羽根部の各段６３における各羽根６２は、羽根のハブ６１への取付け角が、回転軸に対して所定の羽根から同一方向に順に大きくされている。例えば、所定の羽根６２ａの取り付け角が１度だとすると、軸の回転方向と反対方向に沿って隣の羽根６２ｂの取り付け角は２度、その隣の羽根６２ｃの取り付け角は３度というように、軸の回転方向と反対方向に沿って１度ずつ大きくなるようにされ、ぐるりと一周した最後（１０枚目）の羽根６２ｊの取り付け角は１０度とされている。このように、取り付け角を順次大きくした羽根が順次気泡に衝突するので気泡を細かくすることができる。取り付け角は、１度ずつ大きくする必要はなく、例えば２度ずつ大きくなるようにしてもよい。また、一定の度合いで大きくする必要はなく、大きくなる度合いが徐々に増えるようにしてもよい。もちろん、羽根の枚数は１０枚でなくてもよい。
【００５２】
さらに、この羽根部は、図８、図１０に示すように、２段構成とされている。すなわち、この羽根部は、放射状に配設された１０枚の羽根６２の集まりである羽根の段６３が２段に重ねられた構成とされている。羽根を１段でなく２段またはそれ以上の段数にすることによって、より効率的に、バブルを発生させることができ、また、発生したバブルを切り刻むことができる。羽根の段６３どうしの間隔は、適宜設定することができる。
【００５３】
なお、図８〜図１０に示す実施形態の羽根部は、図２〜７に示す実施形態の羽根部と異なり、羽根のせん断力により微細なバブルを発生するように構成されている。この羽根は、例えば、チタン合金、チタンコーティングされたステンレスなど、剛性が高くかつ軽い材料で構成することが好ましい。
【００５４】
さらに、羽根付き回転体６には圧電振動子が固着されていることが好ましい。圧電振動子は、羽根付き回転体６の回転軸に固定しても良いし、羽根部のハブに固定しても良いし、各羽根に取り付けても良い。こうすることで、より効率的にバブルを細かくすることができる。
【００５５】
上記図２〜図１０で説明したように構成された羽根付き回転体を、加熱手段を有する第１の液体容器２内部で高速で回転させることで、微細なバブルを簡便かつ効率的に発生させることができる。こうして発生させたバブルを含む液体を、上記説明したように、冷却手段を有する第２の液体容器３に移送し、収容された液体を相対的に冷却するとともに、マイクロ波発生装置８１や、この羽根付き回転体等のバブル圧壊手段を用いてマイクロバブルを圧壊させることで、簡便かつ効率的にナノバブルを発生させることができる。
【００５６】
なお、図２〜図１０に示すように、第１の液体容器または第２の液体容器に配設される羽根付き回転体の羽根部は着脱自在とされており、容易に交換可能とされている。すなわち、図２〜図１０に示すように、羽根部６０の各羽根６２を支持するハブ６１の中央部には、所定形状の孔６１０が設けられ、羽根部６０は回転軸に着脱可能に固定できる構成とされている。したがって、必要に応じて利用者が自分で羽根部を交換することができる。
【００５７】
本発明によるナノバブル発生装置は、上記のような簡便な構成で、手軽に効率よくナノバブルを発生させることができる。こうして発生させたナノバブルを含む水は、洗顔、美顔・美肌形成のためなどに、個人でも気軽に利用することができる。
【００５８】
なお、本発明は上記実施形態のみに限定されるものではない。本発明の趣旨を逸脱しない範囲内で適宜変形することができる。
【００５９】
たとえば、上記実施形態では、液体を循環させていないが、循環用の配管を設けて、何度か循環させるようにしてもよい。そうすることで、ナノバブルの濃度を一層高めることができる。
【図面の簡単な説明】
【００６０】
【図１】本発明の一実施形態のナノバブル発生装置の概略構成を示す図。
【図２】羽根付き回転体の羽根部の一例を示す斜視図。
【図３】図２に示す羽根部の平面図。
【図４】図２に示す羽根部の側面図。
【図５】羽根付き回転体の羽根が振動している様子を模式的に示す斜視図。
【図６】図５に示す羽根部の羽根が振動している様子を模式的に示す斜視図。
【図７】図５に示す羽根部の羽根が振動している様子を模式的に示す側面図。
【図８】羽根付き回転体の羽根部の他の一例を示す斜視図。
【図９】図８に示す羽根部の平面図。
【図１０】図８に示す羽根部の側面図。
【符号の説明】
【００６１】
１…第１の液体容器、２…第２の液体容器、４…配管、５…加熱手段、６…羽根付き回転体、７…冷却手段、８１…マイクロ波発生装置、８２…超音波発生装置、８３…羽根付き回転体、８４…磁石、１００…ナノバブル発生装置、Ｍ…マイクロバブル生成手段、Ｎ・・・ナノバブル生成手段。
【図１】
0004430609.tif 000002
【図２】
0004430609.tif 000003
【図３】
0004430609.tif 000004
【図４】
0004430609.tif 000005
【図５】
0004430609.tif 000006
【図６】
0004430609.tif 000007
【図７】
0004430609.tif 000008
【図８】
0004430609.tif 000009
【図９】
0004430609.tif 000010
【図１０】
0004430609.tif 000011